(57)【要約】      （修正有）【課題】架空での光ケーブル配線に於いて、接続ケーブル余長収納をケーブルを巻き付けて行う場合、作業に手数と時間が掛からず、配線工事に作業者によるバラツキが生じることなく、ケーブルを収めて取り付けられ、ケーブル及び心線に損傷を与えることなく、引っ張り強度の保証を確実化して信号伝送特性を維持できるほか、接続余長の取り扱い並びに配線工事の安全簡便化をはかり、ケーブル接続余長の信頼性を高める。【解決手段】配線ケーブルＣに沿ったケーブル支持プレート１に、配線ケーブル支持用の鋼撚り線からなる支持線Ａに固定するハンガー２と、ケーブルの二点を把持するケーブル把持部３とを設け、該ケーブル把持部３に、前記配線ケーブルＣに圧接するように把持力６０〜９０ｋｇ好ましくは７０〜８０ｋｇを持つ合成ゴムからなる弾性把持部材４を取付片５によって挟圧配備した構成のケーブル留め具とした。【選択図】図１
2004302418.tif 000002
【特許請求の範囲】
【請求項１】
配線ケーブルに沿ったケーブル支持プレートに、配線ケーブル支持用の支持線に固定するハンガーと、ケーブルの二点を把持するケーブル把持部とを設け、該ケーブル把持部に、前記配線ケーブルに圧接するように把持力６０〜９０ｋｇを持つ合成ゴムからなる弾性把持部材を取付片によって挟圧配備したことを特徴とするケーブル留め具。
【請求項２】
請求項１記載のケーブル留め具において、前記ケーブル支持プレートに、接続余長の巻き取りが最小曲率半径３００ｍｍ以上で、所定のケーブル外径を確保するケーブル支持アームを回動自在に設けたことを特徴とするケーブル留め具。
【請求項３】
請求項１または請求項２記載のケーブル留め具おいて、前記ケーブル支持アームが、先端にスパイラル状または引っ掛け鉤状の把手部を備え、前記ケーブル支持プレートに形成した位置決めストッパに保持されて、巻き付けたケーブルの円周の一点を支持することを特徴とするケーブル留め具。
【請求項４】
請求項１、請求項２または請求項３記載のケーブル留め具において、前記ケーブル把持部が、円筒形の弾性把持部材を圧接する取付片を前記ケーブル支持プレートに備え、該取付片を介して固定子によって弾性把持部材を圧接固着したことを特徴とする請求項１、請求項２または請求項３記載のケーブル留め具。
【請求項５】
請求項２、請求項３または請求項４記載のケーブル留め具において、前記弾性把持部材が、前記配線ケーブルの外周面に接触する挿通孔を有する円筒形合成ゴムからなり、配線ケーブルを挿入する切れ目を挿通孔に連通して設け、前記ケーブル把持部に着脱自在に嵌挿したことを特徴とするケーブル留め具。  
【請求項６】
請求項４または請求項５記載のケーブル留め具において、前記取付片が、湾曲部にの両端に折り曲げ支片を備え、一方の支片を前記ケーブル支持プレートに形成した挿入孔に嵌入支持され、他方の支片をケーブル支持プレートに固定子によって取り外し自在に固着したことを特徴とする請求項４または請求項５記載のケーブル留め具。
【請求項７】
請求項４、請求項５または請求項６記載のケーブル留め具において、前記ハンガーが、先端部に支持線を受ける抱持片と締め付けネジとからなる固着部を備え、前記支持線に係脱自在に吊下げ保持されることを特徴とするケーブル留め具。
【請求項８】
請求項５、請求項６または請求項７記載のケーブル留め具において、前記ケーブル支持プレートの中央部にブラケットを間隔をあけて一対設け、各ブラケットにフック片を回動自在にそれぞれ備えて、該フック片に巻き丸めたケーブルを抱持し、ケーブル巻きの円周を整理して止める構成としたことを特徴とするケーブル留め具。
【請求項９】
前記配線ケーブルに沿ったケーブル支持プレートに、配線ケーブル支持用の支持線に固定され、ケーブルの二点を把持するケーブル把持部を設け、該ケーブル把持部に、前記配線ケーブルに圧接する合成ゴムからなる弾性把持部材を取付片によって挟圧配備すると共に、ケーブル支持プレートに形成したガイドレールに電柱固定アームを摺動自在で、回動自在に付設したことを特徴とするケーブル留め具。
【請求項１０】
請求項９記載のケーブル留め具において、前記電柱固定アームが、断面略Ｕ字形のアームからなり、その一端に折曲片を有し、他端に締め付け固定ネジを備えたもので、該固定ネジを支持プレートに形成されたガイド溝に嵌挿してアームを摺動自在で、かつ回動自在に配備したことを特徴とするケーブル留め具。
【請求項１１】
請求項９または請求項１０記載のケーブル留め具において、前記取付片が、湾曲部にの両端に折り曲げ支片を備え、一方の支片を前記ケーブル支持プレートに形成した挿入孔に嵌入保持され或いは開閉自在に連結され、他方の支片をケーブル支持プレートに固定子によって取り外し自在に固着したことを特徴とするケーブル留め具。
【請求項１２】
請求項９、請求項１０または請求項１１記載のケーブル留め具において、前記ケーブル支持プレートが、配線ケーブル支持用の支持線に固定たするハンガーを取付けネジによって着脱自在に備えられると共に、余長ケーブル把持具、光ケーブルやドロップケーブルを分離通過させるための係支リングをケーブル支持プレートに備えたことを特徴とするケーブル留め具。
【請求項１３】
請求項１０、請求項１１または請求項１２記載のケーブル留め具において、前記ケーブル支持プレートが、下端縁に折り曲げ片からなるガイドレールを備え、該レール部に配線ケーブルに沿って長手方向に長溝を形成すると共に、外れ阻止用のストッパ片を両サイドに突設したことを特徴とするケーブル留め具。
【発明の詳細な説明】
【技術分野】
【０００１】
本発明は、市街地などにおける一般住宅の家屋、オフィス、工場、その他の建物などの屋外に配線される情報通信などの通信回路での光通信用の光ケーブル余長を配線点になる予定の架空に止めるケーブル留め具に関するものである。
【背景技術】
【０００２】
一般に、市街地などにおける光ケーブルによる架空光ネットワークは、光ケーブルの多重架渉ができるように、電柱間に鋼撚り線を張りスパイラルハンガーを通すことにより、ケーブルリングを使用しないでスパイラルハンガーの中に光ケーブルを何条も敷設できる工法になっている。（例えば、特許文献１参照）
この工法では、ケーブル余長は取らずに架空クロージャ内の心線余長を利用した後分岐しかできなかった。
特に、最近のように市街地に架空光ネットワークが、多重架渉されてくると従来の工法では、電柱の支障移転時にケーブルの張り替えが必要になることや、後分岐による心線余長が足りないことなどを解消するためにケーブルの余長を前もって用意することが必要になって問題があった。
また、従来では架空での心線余長を充分取った場合、接続ケーブル余長収納にケーブルを巻き付けることで行われるが、この巻き付けた接続余長の取付には、図９に示すようにケーブルＣの円周の一点をしばり紐Ｅで電柱Ｄ間の支持線Ａに固定すると共に、もう一点をしばり紐Ｆで電柱Ｄに取り付けるのに、自在バンドＨで電柱Ｄに取付つけたＬ型金具Ｇを用いて電柱Ｄに固定する工法が用いられるようになった（例えば、特許文献１、２参照）が、ケーブルの引っ張り強度の保証や架空に設置することから紫外線など環境による劣化など寿命や信頼性に問題があり、しかも取付け取り扱い作業にも床板取付金具の数と時間がかかるほか、作業者による巻き付けケーブルを収める寸法に差異が生じたり作業員の組立て相違で、配線工事にバラツキが生じやすいので、均一性がなく信頼性の上で満足したものにならなく、その取付も電柱間のどの位置でもよいというわけではなく電柱近辺に限られ、電柱から外れた位置では組立てができない制約が生じて不便であるなどの欠点もあった。
【０００３】
この出願の発明に関連する先行技術文献情報としては、次のものがある。
【特許文献１】特開２００２−３４５１１６号公報
【特許文献２】実開平５−９６８０５号公報
【発明の開示】
【発明が解決しようとする課題】
【０００４】
本発明は、これら従来の諸欠点を排除しようとするもので、架空でのケーブル余長の巻き付けケーブルを収めるのに、ケーブルの把持力を一定にして把持することができ、ケーブルの引っ張り力が一定範囲を越えた際に滑って繰り出しケーブル及び心線に損傷を与えず、引っ張り強度の保証を確実化して信号伝送特性を充分維持できるほか、接続余長の取り扱い並びに配線工事の安全簡便化をはかり、ケーブル接続余長の信頼性を高めることができる。
【課題を解決するための手段】
【０００５】
前記目的を達成するため、本発明は、配線ケーブルに沿ったケーブル支持プレートに、配線ケーブル支持用の支持線に固定するハンガーと、ケーブルの二点を把持するケーブル把持部とを設け、該ケーブル把持部に、前記配線ケーブルに圧接するように把持力６０〜９０ｋｇを持つ合成ゴムからなる弾性把持部材を取付片によって挟圧配備したことで、架空でのケーブル余長の巻き付けケーブルを収めるのに、弾性把持部材によりケーブルの把持力を一定にして把持することができ、ケーブルの引っ張り力が一定範囲を越えた際に滑って繰り出しケーブル及び心線に損傷を与えず、引っ張り強度の保証を確実化して信号伝送特性を充分維持できるほか、接続余長の取り扱い並びに配線工事の安全簡便化をはかり、ケーブル接続余長の信頼性を高めることができるようにした。
【０００６】
また、本発明のケーブル留め具では、前記ケーブル支持プレートに、接続余長の巻き取りが最小曲率半径３００ｍｍ以上で所定のケーブル外径を確保するケーブル支持アームを回動自在に設けた構成とすることで、ケーブル支持アーム内にケーブル余長を巻き付けておさめると、所定の曲率半径寸法が容易に確保でき、組立て時にいずれの作業員が施工しても均一で信頼性が得られると共に、バケット車上などでの一人作業に適している止すにするのがよい。
【０００７】
さらに、本発明のケーブル留め具では、前記ケーブル支持アームが、先端にスパイラル状または引っ掛け鉤状の把手部を備え、前記ケーブル支持プレートに形成した位置決めストッパに保持されて、巻き付けたケーブルの円周の一点を支持することことができるので、光ケーブル心線の曲げ劣化をなくし規定されている最小曲率半径３００ｍｍ以上が容易に維持でき、ケーブル余長収納の管理保安が容易であるし、このケーブル支持アームは、梱包を考慮して回動変位して支持プレートに沿わして、邪魔にならないようにしてあり、組立て作業も簡便に行なうことができ、安全なケーブル締め具を構成簡単で、製造コストも安価な形態で提供できる。
【０００８】
本発明のケーブル留め具では、前記ケーブル把持部が、円筒形の弾性把持部材を圧接する取付片を前記ケーブル支持プレートに着脱自在に備え、固定子によって取り外し自在に固着したことを特徴とすることにより、片側または両側のケーブル余長止めを緩め、ケーブルを外すだけで一巻長ごと延ばすことができると共に、光ケーブル心線の曲げ劣化をなくし規定されている最小曲率半径３００ｍｍが維持でき、しかもケーブルの把持力を一定にして把持することができ、ケーブルの引っ張り力が一定範囲を越えた際に弾性把持部材の摩擦抵抗に抗しきれずに滑って繰り出して、ケーブル及び心線に損傷を与えず、ケーブルの引っ張り作用に安全に対応できて引っ張り強度の保証を確実化する。
【０００９】
さらにまた、本発明は、前記弾性把持部材が、前記配線ケーブルの外周面に接触する挿通孔を有する円筒形合成ゴムからなり、配線ケーブルを挿入する切れ目を挿通孔に連通して設け、前記ケーブル把持部に着脱自在に嵌挿したことを特徴とすることと、前記取付片は湾曲部の両端に折り曲げ支片を備え、一方の支片を前記ケーブル支持プレートに形成した挿入孔に嵌入支持し、他方の支片をケーブル支持プレートに固定子によって取り外し自在に固着したことで、スパイラルハンガー内の他のケーブルに損傷をあたえない構造により、接続余長の取り扱い並びに配線工事の安全簡便化がはかられるし、ケーブル余長の巻き付けケーブルを収めるのに、ケーブルの把持力を一定にして把持することができるようにした。
【００１０】
しかも、本発明のケーブル留め具では、前記ハンガーが、先端部に支持線を受ける抱持片と締め付けネジとからなる固着部を備え、前記支持線に係脱自在にぶら下げ保持されることを特徴とするので、電柱間どこの位置でも組立てが可能で、組立て時にいずれの作業員が施工しても均一で信頼性が得られると共に、バケット車上等での一人作業に適し、配線工事作業も容易であって信頼性を大幅に高めることができ、取り扱いも簡便で安全な形態でケーブル余長の収納ができるようにするのがよい。
【００１１】
また、本発明は、ケーブルの支持を確実にするために、ケーブル支持プレートの中央部にブラケットを一対間隔をあけて設け、各ブラケットにフック片を回動自在に夫々備えて、巻き丸めたケーブルをフック片に抱持して、ケーブル巻きの円周を整理して止めることができ、左右に振り分けたケーブル接続余長を支えて、ケーブル巻き取りの最小曲率半径の外径を確保しやすくし、ケーブルの繰り出しの際に案内をも兼ねケーブルに損傷を与えず安全性を高めるのが好ましい。
【００１２】
本発明は、配線ケーブルに沿ったケーブル支持プレートに、配線ケーブル支持用の支持線に固定され、ケーブルの二点を把持するケーブル把持部を設け、該ケーブル把持部に、前記配線ケーブルに圧接する合成ゴムからなる弾性把持部材を取付片によって挟圧配備すると共に、ケーブル支持プレートに形成したガイドレールに電柱固定アームを摺動自在で、回動自在に付設したことで、作業者の昇降時に電柱固定金具が邪魔にならないようにケーブル留め具本体から電柱までの距離を最低確保でき、電柱固定アームの配置を移動でき電柱との取付けが自在となって取扱い簡便化できるようにした。
【００１３】
特に、前記電柱固定アームが、断面略Ｕ字形のアームからなり、その一端に折曲片を有し、他端に締め付け固定ネジを備えたもので、該固定ネジを支持プレートに形成されたガイド溝に嵌挿して電柱固定アームを摺動自在で、かつ回動自在に配備したことで、前記固定ネジを緩めることにより、電柱固定アームを左右に取り替えて移動できるし、電柱までの距離の調整も簡単にでき、しかもアームの先端は折曲片として折り曲げてあるのでステンレスバンド等で電柱取付けも容易にできるようにするのがよい。
【００１４】
前記ケーブル支持プレートとしても、配線ケーブル支持用の支持線に固定するハンガーを取付けネジによって着脱自在に備えられると共に、余長ケーブル把持具、光ケーブルやドロップケーブルを分離通過させるための係支リングをケーブル支持プレートに備えてあるので、ＳＳＷケーブル（自己支持型ケーブル）にケーブル留め具本体を取り付ける場合に、ハンガーを外しケーブル把持スペーサの弾性把持部材の内側に支持線取付け位置があり、支持線と弾性把持部材を嵌めたケーブルを取付片で同時に締め付け固定することができ、取扱い作業が簡便化できるし、同じエリアを通過する余長ケーブル把持具、光ケーブルやドロップケーブルを離して配線処理でき、作業性を良好にすることが好ましい。
【００１５】
このケーブル留め具において、前記ケーブル支持プレートが、下端縁に折り曲げ片からなるガイドレールを備え、該レール部に配線ケーブルに沿って長手方向に長溝を形成すると共に、外れ阻止用のストッパ片を両サイドに突設して、前記電柱固定アームの取扱いを簡便化して作業性を向上するようにするのがよい。
【００１６】
この場合、合成ゴムからなる前記弾性把持部材を取付片によって挟圧配備する際に、前記取付片が、湾曲部の両端に折り曲げ支片を備え、一方の支片を前記ケーブル支持プレートに形成した挿入孔に嵌入保持され、或いは開閉自在に連結されて脱落防止構造として、他方の支片をケーブル支持プレートに固定子によって取り外し自在に固着することで、ケーブル支持プレートへの取付け部品が弾性把持部材を除いて脱落しないで取り扱われ、作業での安全性を高める配慮がされている。
【発明の効果】
【００１７】
本発明は、架空でのケーブル余長の巻き付けケーブルを収めるのに、ケーブルの把持力を一定にして把持することができ、ケーブルの引っ張り力が一定範囲を越えた際に、滑って繰り出すことができてケーブル及び心線に損傷が生じないし、引っ張り強度の保証を確実化して信号伝送特性を充分維持できるほか、接続余長の取り扱い並びに配線工事の安全簡便化をはかり、ケーブル接続余長の信頼性を高めることができる。
【００１８】
また、本発明では、ケーブル支持プレート内にケーブル余長を巻き付けておさめると、接続余長の巻き取りが最小曲率半径３００ｍｍ以上の所定の曲率半径寸法が容易に確保でき、組立て時にどの作業員が施工しても均一で信頼性が得られると共に、巻き付けたケーブルの円周の一点を支持するので、ケーブル余長収納の管理保安が容易であるし、組立て作業も簡便に行なうことができ、安全なケーブル留め具を構成簡単で、製造コストも安価な形態で提供できる。
【００１９】
さらに本発明のケーブル留め具では、前記ケーブル把持部が、弾性把持部材を圧接する取付片を前記ケーブル支持プレートに着脱自在に備え、固定子によって取り外し自在に固着したことにより、片側または両側のケーブル余長止めを緩め、ケーブルを外すだけで一巻長ごと延ばすことができ、スパイラルハンガー内の他のケーブルに損傷をあたえなし取り扱いが簡便で、ケーブル余長の巻き付けケーブルを収めるのに、ケーブルの把持力を一定にして把持することができるため、引っ張り強度の保証を確実化するし、接続余長の取り扱い並びに配線工事の安全簡便化がはかられる。
【００２０】
しかも、本発明のケーブル留め具では、電柱間のどの位置でも組立てが可能で、組立て時にいずれの作業員が施工しても均一で信頼性が得られると共に、バケット車上などでの一人作業に適し、配線工事作業も容易であって信頼性を大幅に高めることができ、取り扱いも簡便で安全な形態でケーブル余長の収納ができるケーブル留め具とすることができる。
【００２１】
本発明は、配線ケーブルに沿ったケーブル支持プレートに、配線ケーブル支持用の支持線に固定され、ケーブルの二点を把持するケーブル把持部を設け、該ケーブル把持部に、前記配線ケーブルに圧接する合成ゴムからなる弾性把持部材を取付片によって挟圧配備すると共に、ケーブル支持プレートに形成したガイドレールに電柱固定アームを摺動自在で、回動自在に付設したことにより、作業者の昇降時に電柱固定金具が邪魔にならないようにケーブル留め具本体から電柱までの距離を最低確保でき、電柱固定アームの配置を移動でき電柱との取付けが自在となって取扱い簡便化できるようにし、作業性を大幅に向上できるほか、ケーブル余長の巻き付けケーブルを安全に支持ケーブルに保持できる。
【００２２】
特に、前記電柱固定アームが、断面略Ｕ字形のアームからなり、その一端に折曲片を有し、他端に締め付け固定ネジを備えたもので、該固定ネジを支持プレートに形成されたガイド溝に嵌挿して電柱固定アームを摺動自在で、かつ回動自在に配備したことで、前記固定ネジを緩めることにより、アームの一端を持ち上げ固定ネジを中心に回転すれば電柱固定アームを位置替えできるし、固定ネジを外して電柱固定アームを左右に取り替えて移動できるし、電柱までの距離の調整も固定ネジを緩めスライドして位置調節したのち、固定ネジを締めつければ設定位置の変更が簡単にでき、しかもアームの先端は折曲片として折り曲げてあるのでステンレスバンド等で電柱取付けも容易にできるようになり、アームによって電柱に巻き付けケーブルを取付ければ、横触れがなく確実で安全に架空に保持できる。
【００２３】
さらに、本発明では、前記ケーブル支持プレートとしても、配線ケーブル支持用の支持線に固定するハンガーを取付けネジによって着脱自在に備えられると共に、余長ケーブル把持具、光ケーブルやドロップケーブルを分離通過させるための係支リングをケーブル支持プレートに備えてあるので、ＳＳＷケーブル（自己支持型ケーブル）にケーブル留め具本体を取り付ける場合に、ハンガーを外しケーブル把持スペーサの弾性把持部材の内側に支持線取付け位置があり、支持線と弾性把持部材を嵌めたケーブルを取付片で同時に締め付け固定することができ、取扱い作業が簡便化できるし、同じエリアを通過する余長ケーブル把持具、光ケーブルやドロップケーブルを離して配線処理でき、作業性を良好にすることができる。
【００２４】
また、このケーブル留め具において、前記ケーブル支持プレートが、下端縁に折り曲げ片からなるガイドレールを備え、該ガイドレールに配線ケーブルに沿って長手方向に長溝を形成すると共に、外れ阻止用のストッパ片を両サイドに突設して、前記電柱固定アームの取扱いを簡便化して作業性の向上を図ることができ、余長ケーブルの安全性確保が容易にできる。
【００２５】
本発明のケーブル留め具では、前記弾性把持部材を取付片によって挟圧配備する際に、前記取付片が、湾曲部の両端に折り曲げ支片を備え、一方の支片を前記ケーブル支持プレートに形成した挿入孔に嵌入保持され、或いは開閉自在に連結されていて、他方の支片をケーブル支持プレートに固定子によって取り外し自在に固着することで、前記ケーブル支持プレートへの取付け部品が弾性把持部材を除いて脱落防止構造なっているので、ケーブル支持プレートへの取付け部品が弾性把持部材を除いて脱落しないで取り扱われ、作業での安全性を容易に高めることができる。
【発明を実施するための最良の形態】
【００２６】
この発明に係るケーブル留め具の第１実施例を図１〜図４の例を用いて説明すると、配線ケーブルＣに沿ったケーブル支持プレート１に、配線ケーブル支持用の鋼撚り線からなる支持線Ａに固定するハンガー２と、ケーブルの二点を把持するケーブル把持部３とを設け、該ケーブル把持部３に、前記配線ケーブルＣに圧接するように把持力６０〜９０ｋｇ好ましくは７０〜８０ｋｇを持つ合成ゴムからなる弾性把持部材４を取付片５によって挟圧配備した構成のケーブル留め具としてある。〔図１〕
【００２７】
この場合、前記ケーブル支持プレート１の両端に、ケーブル接続余長の巻き取りが最小曲率半径３００ｍｍ以上で所定のケーブル外径を確保するケーブル支持アーム６を回動自在に設けて、ケーブルＣの把持力を一定にして把持することができるようにし、ケーブルの引っ張り力が一定範囲を越えた際に滑って繰り出すことで、ケーブル及び心線に損傷を与えずに、引っ張り強度の保証を確実化するようにしてある。〔図２〕
また、ケーブルＣの支持を確実にするために、ケーブル支持プレート１の中央部下方にブラケット１０を一対間隔をあけて設け、各ブラケット１０に下方から上方に延長したフック片９を回動自在に夫々備えて、該フック片９を上から下に展開して巻き丸めたケーブルをフック片９に乗せたのち、巻き付けケーブルＣ１  のケーブル巻きの円周を整理して止めることができ、左右に振り分けたケーブル接続余長を支えて、ケーブル巻き取りの最小曲率半径の外径を確保しやすくし、ケーブルの繰り出しの際に案内をも兼ねケーブルが損傷を生じないようにするのがよい。
【００２８】
なお、前記ケーブル支持アーム６としては、金属などの支持杆を用いその先端に引っ掛け鉤状またはスパイラル状の把手部６１  を備え、前記ケーブル支持プレート１に突出形成した位置決めストッパ７に保持されていて、巻き付けケーブルＣ１  の円周の二点を支持するようにするのがよい。
さらに、このケーブル支持アーム６は、前記支持プレート１の両端に形成した挿入溝１１から装着し回動自在に枢支して、内側に変位して前記支持プレート１に沿わせることができ、折り畳まれて梱包が楽にできるようになっていて、外側に展開位置すると、位置決めストッパ７に当たって巻き付けケーブルＣ１  の最小曲率半径を保持できるようになっている。〔図３〕
【００２９】
さらに、前記ケーブル把持部３では、円筒形の把持部材４を圧接する取付片５を前記ケーブル支持プレート１に形成した挿入孔（図示せず）或いは切り溝に挿脱自在に備え、固定子５１  によって取り外し自在に固着して、弾性把持部材４を挟圧してケーブルの外周を圧着し、把持力６０〜９０ｋｇを持つて、ケーブル止めとするのがよい。
【００３０】
この場合、前記弾性把持部材４としては、弾性に優れた加硫ゴムなどの合成ゴムや、ニトリルゴム、ブチルゴム、アクリルゴム、オレフィン系のエチレン−プロピレンゴム、フッ素ゴム、シリコーンゴムなどの高性能特殊ゴム、熱可塑性エラストマー（ＴＰＥ）が選んで用いられる。
特に、弾性把持部材４は、引張強度５０〜３００ｋｇｆ／ｃｍ２  で、（ショアー硬度２０〜９０）を用いるが、好ましくは引張応力の大きい硬質ゴム（ショアー硬度４０〜７０）を用い、即ち引張応力１００％・６０〜８０ｋｇｆ／ｃｍ２  の熱可塑性ゴム組成物、例えば石油系軟化材を含むＥＥＰＭ、ＥＰＤＭ、シリコーンゴム、ブチルゴム、スチレン・ブタジェンコム或いはフッソゴムなどの硬度（Ｈｓ）のもの、さらに詳しくは比重１．０〜１．０５、引張強度６０．０ｋｇｆ／ｃｍ２  で、圧縮永久歪（７０℃×２２Ｈ）は、５０％以下例えば４５．０％のものを用いケーブルの外周の摩擦抵抗によって所定の引っ張り強度に耐え、弾性変形してケーブルを密着して把持力６０〜９０ｋｇを持つて把持性を確保できるようにするのがよい。
【００３１】
なお、この弾性把持部材４は、前記配線ケーブルＣの外周面に接触する挿通孔４１  を貫通して有する円筒形合成ゴムからなり、配線ケーブルＣを挿入する切れ目４２  を挿通孔４１  に連通して設け、前記ケーブル把持部３に着脱自在に嵌挿して配線ケーブルＣの挿通把持が容易にできるようにしてある。
このように、前記ケーブル把持部３は、硬度２０〜９０の合成ゴムから構成された弾性把持部材４を備えたものであって、ケーブルを貫通させる挿通孔４１  のある円筒体が二つ割りの切れ目４２  を外周から前記挿通孔４１  まで形成しケーブルを挿入しやすくしてあるが、このケーブル挿通路としては、ケーブルを密着して把持力６０〜９０ｋｇ好ましくは７０〜８０ｋｇを持つて把持できるように、見かけの接触面積の大小並びに、垂直荷重の大小を適宜配慮して構成される。
【００３２】
また、前記取付片５は、湾曲部にその両端に折り曲げ支片５２  ，５３  を備え、その一方の支片５３  を前記ケーブル支持プレート１に形成した挿入孔５４  に嵌入支持し、他方の支片５２  をケーブル支持プレート１に固定子５１  によって取り外し自在に固着し、前記弾性把持部材４を確実に挟み込んで配線ケーブルＣを圧着するのが便利である。
【００３３】
さらに前記ハンガー２は、先端部に支持線Ａを受ける抱持片２１  と、締め付けネジ２２  とからなる固着部を備え、前記支持線Ａに係脱自在に吊り下げ保持される固定構成からなるもので、前記ケーブル支持プレート１を配線ケーブルＣに沿って位置するようになっている。
【００３４】
この第１実施例のケーブル留め具では、前記ケーブル支持プレート１を二部材で構成し、ケーブル把持部３の一対の取付片５を一括して備えたものと、ケーブル支持アーム６を備えたものとを組み合わせて、配線ケーブルＣを挿入した弾性把持部材４を挟圧保持するようにしてある。
【００３５】
そして、前記配線ケーブルＣの接続余長処理手順の一例としては、配線点となる予定の電柱Ｄに配線されている支持線Ａにケーブル支持プレート１をハンガー２によって取付け、該支持線Ａにつり下げられている配線ケーブルＣの外周に弾性把持部材４を二箇所挿入して、該弾性把持部材４，４をそれぞれケーブル把持部３において取付片５によって緩めた状態で仮止めしたのち、ケーブル把持部３間のケーブルの位置で所定量のケーブル接続余長の巻き取りを半径３００ｍｍ以上で、かつケーブル外径を確保しながら、略８の字を描くように巻き込み巻き付けケーブルＣ１  とする。この巻き付けケーブルＣ１  の円周の二点をケーブル支持プレート１の把手部６１  に引っかけ挿入して支持し、さらにケーブル把持部３で、前記取付片５を締めつけ配線ケーブルＣを前記弾性把持部材４内に挟持固定する。〔図４〕  
【００３６】
この弾性把持部材４は、把持力６０〜９０ｋｇまでは把持し、それ以上超えた時にケーブル余長は滑りケーブル及び心線に損傷を与えることなく安全に用いられる。また、配線作業において片側或いは両側のケーブル余長止めの前記ケーブル把持部３の取付片５を緩め、ケーブルを外すだけで１巻長づつ伸ばすことができる。
【００３７】
また、前記ケーブル支持アーム６に巻き付けケーブルＣ１  を納めると、最小曲率半径の３００ｍｍの寸法が容易に確保できて、光ケーブル心線の曲げ劣化をなくすことができるし、組立て時にどの作業員が組み立てても同じ形態に施工でき信頼性が得られる。
【００３８】
この発明に係るケーブル留め具は、前記ハンガー２で固着部によって支持線Ａに定着できるので、該支持線Ａの備えたスパイラルハンガーＢ内の他のケーブルに損傷を与えないで安全に用いられ、しかも電柱Ｄ間のどこの位置でも組立てが可能で、バケット車上での作業で一人作業も簡便にできる。
【００３９】
図５〜８に示す第２実施例のケーブル留め具では、前記ケーブル支持プレート１を単一部材でケーブル挿入通路８を形成して折り曲げ構成し、該ケーブル挿入通路８上にケーブル支持プレート１の両端にケーブル把持部３の取付片５を着脱自在に備えたもので、さらにプレート上部にハンガー２と、プレート下部両端にケーブル支持アーム６とを備え、ケーブル挿入通路８に挿入し配線ケーブルＣを弾性把持部材４を介して挟圧保持するようにしてある。
【００４０】
この場合、前記取付片５は、ケーブル支持プレート１とは別部材で、弾性把持部材４を嵌入しうる湾曲部の両端に折り曲げ支片５２  ，５３  をそれぞれ備え、その一方の支片５３  を前記ケーブル支持プレート１のケーブル挿入通路８の両端下方に形成した挿入孔５４  に嵌入支持し、他方の支片５２  をケーブル支持プレート１の両端上方に固定子５１  によって取付片５を個別に取り外し自在に固着し、前記弾性把持部材４を確実に挟み込んでケーブルＣを圧着するようにしてある。
また、ケーブル支持プレート１の中央部上方にブラケット１０を一対間隔をあけて設け、各ブラケット１０に上方から下方に延長したフック片９を回動自在に夫々備えて、該フック片９を下から上に展開して巻き丸めたケーブルをフック片９に抱え込んで、ケーブル巻きの円周を整理して止めることができ、左右に振り分けたケーブル接続余長を支えて、ケーブル巻き取りの最小曲率半径の外径を確保しやすくし、ケーブルの繰り出しの際に案内をも兼ねケーブルの損傷が生じないようにするのがよい。
【００４１】
その他の構成は、第１実施例と同様で前記弾性把持部材４により把持力６０〜９０ｋｇまでは把持し、それ以上超えた時にケーブル余長は滑りケーブル及び心線に損傷を与えることなく安全に用いられる構成としてある。
さらに、前記ケーブル支持アーム６は、その先端に引っ掛け鉤状の把手部６１  を備え、接続余長の巻き取りが最小曲率半径３００ｍｍ以上の所定の曲率半径寸法が容易に確保できるように、ケーブル支持プレート内にケーブル余長を巻き付けて納めることができるようにしてあり、組立て時にいずれの作業員が施工しても均一で信頼性が得られるようになっている。
【００４２】
図９〜１３に示す第３実施例のケーブル留め具では、ゴムスペーサとなる弾性把持部材４を除いて前記ケーブル支持プレート１への取付け部品が、脱落防止構造となっていて、配線ケーブルに沿ったケーブル支持プレート１に、配線ケーブル支持用の支持線Ａに固定され、ケーブルの二点を把持するケーブル把持部３を設け、該ケーブル把持部３に、前記配線ケーブルＣに圧接する合成ゴムからなる弾性把持部材４を取付片５によって挟圧配備すると共に、ケーブル支持プレート１に形成したガイドレール１１  に電柱固定アーム１２を摺動自在で且つ、回動自在に付設したことにより、作業者の昇降時に電柱固定金具１２が邪魔にならないようにケーブル留め具本体から電柱Ｄまでの距離を最低確保でき、電柱固定アーム１２の配置を移動でき電柱Ｄとの取付けが自在となって取扱い簡便化できるようにしテ作業性を大幅に向上できるほか、ケーブル余長の巻き付けケーブルＣ１  を安全に支持線Ａに保持できる。
【００４３】
特に、前記電柱固定アーム１２が、断面略Ｕ字形のアームからなり、その一端に折曲片１２１  を有し、他端に締め付け固定ネジ１３を備えたもので、該固定ネジ１３をケーブル支持プレート１に形成されたガイドレール１１  に、例えばガイドレール１１  にあるガイド溝（図示せず）に嵌挿して電柱固定アーム１２を摺動自在で、かつ回動自在に配備したことで、前記固定ネジ１３を緩めることにより、電柱固定アーム１２を左右に取り替えて移動できるし、ガイドレール１１  に沿ってスライドでき、位置決めしてから固定ネジ１３を締めつければ電柱Ｄまでの距離の調整も簡単にでき、しかも電柱固定アーム１２の先端は折曲片１２１  として折り曲げてあるので、ステンレスバンド等の自在バンドＨで電柱取付けも容易にできるようになる。
【００４４】
また、前記電柱固定アーム１２にある固定ネジ１３を緩めることにより、ガイドレール１１  上にスライドできるすし、アームの一端を持ち上げ固定ネジ１３を中心に１８０度回転すれば電柱固定アーム１２を左右に取り替えて移動できるし、必要に応じて固定ネジ１３を外して電柱固定アーム１２を左右に位置替えして取り替え使用することもできる。さらに電柱までの距離の調整も、固定ネジ１３を緩めガイドレール１１  上にススライドして位置調節したのちに、緩めた固定ネジ１３を締めつければ簡単に所定位置に固定でき、しかもアームの先端は折曲片として折り曲げてあるのでステンレスバンド等で電柱取付けも容易にできるようになり、アーム１２によって電柱Ｄに巻き付けケーブルＣ１  を取付ければ、風が吹いても横触れがなく確実で安全に架空に保持できる。
【００４５】
さらに、本発明では、前記ケーブル支持プレート１としても、配線ケーブル支持用の支持線Ａに固定するハンガー２を取付けネジ１５によって着脱自在に備えられると共に、余長ケーブル把持具、光ケーブルやドロップケーブルを分離通過させるための係支リング１７をケーブル支持プレート１に備えてあるので、ＳＳＷケーブル（自己支持型ケーブル）にケーブル留め具本体を取り付ける場合に、ハンガー２を外してケーブル把持スペーサの弾性把持部材４の内側に支持線取付け位置があり、支持線Ａと弾性把持部材４を嵌めたケーブルを取付片５で同時に締め付け固定することができ、取扱い作業が簡便化できるし、同じエリアを通過する余長ケーブル把持具、光ケーブルやドロップケーブルを離して配線処理でき、作業性を良好にすることができる。
【００４６】
また、このケーブル留め具において、前記ケーブル支持プレート１が、下端縁に折り曲げ片からなるガイドレール１１  を備え、該ガイドレール１１  に配線ケーブルに沿って長手方向に長溝を形成すると共に、外れ阻止用のストッパ片１４を両サイドに突設して、前記電柱固定アーム１２の左右位置の取り替えや長さ方向の調整取扱いを簡便化して作業性の向上を図ることができ、余長ケーブルの固定化が容易で安全性確保が容易にできる。
なお、前記ケーブル支持プレート１に取り付けられる前記取付片５としては、前例と同様に湾曲部の両端に折り曲げ支片を備え、一方の支片を前記ケーブル支持プレート１に形成した挿入孔に嵌入保持され或いは開閉自在に連結させて脱落防止構造にして、他方の支片をケーブル支持プレート１に固定子１６によって取り外し自在に固着し、該固定子１６によって前記弾性把持部材４を挟圧するのが、取付け部品が弾性把持部材を除いて脱落しないで取り扱われ、それらの作業での安全性を高められる。
【図面の簡単な説明】
【００４７】
【図１】本発明の第１実施例を示すケーブル留め具を示し、（ａ）はその正面図、（ｂ）はその側面図である。
【図２】図１の例の使用状態の正面図である。
【図３】図１の例で用いられるケーブル留め具の梱包状態を示し、（ａ）はその正面図、（ｂ）はその側面図である。
【図４】図１の例で用いられるケーブル留め具の施工状態を示す正面図である。
【図５】本発明の第２実施例を示すケーブル留め具の使用状態を示す斜面図である。
【図６】図４の例で用いられるケーブル留め具の正面図である。
【図７】図４の例の一部の拡大正面図である。
【図８】図７の例の一部の側面図である。
【図９】本発明の第３実施例を示すケーブル留め具の使用状態を示す斜面図である。
【図１０】図９の例のケーブル留め具を示し、（ａ）はその正面図、（ｂ）はその側面図である。
【図１１】図９の例の一部の拡大斜視図である。
【図１２】図９の例で用いられるケーブル留め具の一施工使用状態を示す斜視図である。
【図１３】図９の例で用いられるケーブル留め具の梱包状態を示し、（ａ）はその正面図、（ｂ）はその側面図である。
【図１４】従来の工法の説明正面図である。
【符号の説明】
【００４８】
Ａ    支持線  
Ｂ    スパイラルハンガー
Ｃ    ケーブル  
Ｃ１    巻き付けケーブル  
Ｄ    電柱
Ｅ    しばり紐
Ｆ    しばり紐
Ｇ    Ｌ型金具
Ｈ    自在バンド
１    ケーブル支持プレート
１１    ガイドレール
２    ハンガー
２１    抱持片  
２２    締め付けネジ
３    ケーブル把持部
４    弾性把持部材  
４１    挿通孔
４２    切れ目
５    取付片
５１    固定子
５２  ，５３    支片  
５４    挿入孔
６    ケーブル支持アーム  
７    ストッパ
８    ケーブル挿入通路
９    フック片
１０    ブラケット
１１    挿入溝
１２    電柱固定アーム
１２１    折曲片  
１３    固定ネジ  
１４    ストッパ片
１５    取付けネジ
１６    固定子        
１７    係支リング  
【図１】
2004302418.tif 000003
【図２】
2004302418.tif 000004
【図３】
2004302418.tif 000005
【図４】
2004302418.tif 000006
【図５】
2004302418.tif 000007
【図６】
2004302418.tif 000008
【図７】
2004302418.tif 000009
【図８】
2004302418.tif 000010
【図９】
2004302418.tif 000011
【図１０】
2004302418.tif 000012
【図１１】
2004302418.tif 000013
【図１２】
2004302418.tif 000014
【図１３】
2004302418.tif 000015
【図１４】
2004302418.tif 000016